(57)【要約】本発明は、吸入に起因する空気流によって患者に摂取される粉末薬剤用の吸入装置であって、少なくとも１つの粉末リザーバと、リザーバからの粉末用量を繰り返し計量するための計量手段と、粉末用量を収容するための充填位置から前記粉末用量を粉末チャネルに放出するための排出位置へと前記計量手段を移動させるための搬送機構と、患者による手動操作のための少なくとも１つの作動装置とを備え、前記作動装置は、動作時に単回粉末用量が計量されているように前記搬送機構に動作可能に接続され、前記作動装置が、患者によって押されたときに前記搬送機構に作用する投与キー（５）を備えている吸入装置に関し、前記投与キー（５）が押し下げられた状態に保持されるとしても、計量サイクルが完了し、搬送機構および／または計量手段がリセットされるように、押されている間の前記投与キー（５）が前記搬送機構と一時的に係合されるものである。【選択図】  図１
2015503978.tif 000002
【特許請求の範囲】
【請求項１】
吸入に起因する空気流によって患者に摂取される粉末薬剤用の吸入装置であって、少なくとも１つの粉末リザーバと、該リザーバからの粉末用量を繰り返し計量するための計量手段と、粉末用量を収容するための充填位置から前記粉末用量を粉末チャネルに放出するための排出位置へ、前記計量手段を移動させるための搬送機構と、前記患者による手動操作のための少なくとも１つの作動装置とを備え、前記作動装置は、動作時に単回粉末用量が計量されているように、前記搬送機構に動作可能に接続され、前記作動装置が、前記患者によって押されたときに前記搬送機構に作用する投与キー（５）を備えている吸入装置において、
前記投与キー（５）が押し下げられた状態に保持されるとしても、計量サイクルが完了し、前記搬送機構および／または前記計量手段がリセットされるように、押されている間の前記投与キー（５）が前記搬送機構と一時的に係合されることを特徴とする吸入装置。
【請求項２】
前記投与キー（５）は、前記搬送機構の投与レバー（６）に一時的に係合する偏向可能要素を有し、前記偏向可能要素は可撓性であり、第１の非偏向位置で前記投与レバー（６）から係合解除され、第２の偏向位置で前記投与レバー（６）と係合されるものであることを特徴とする請求項１に記載の吸入装置。
【請求項３】
前記偏向可能要素がアクチュエータブレード（２７）の形態であることを特徴とする請求項２に記載の吸入装置。
【請求項４】
前記投与キー（５）に対して固定された偏向形状部を備え、該偏向形状部は、前記投与キー（５）が非押し下げ位置から押し下げ位置へと移動している間に前記偏向可能要素を前記第２の偏向位置に付勢し、その後、前記投与キー（５）が完全に押し下げられた位置へさらに移動している間に前記偏向可能要素を前記第１の非偏向位置内に解放するものであることことを特徴とする請求項２または３に記載の吸入装置。
【請求項５】
前記偏向形状部が、前記吸入装置（１）の固定部分のはす縁（２８）または傾斜面取り形状部によって設けられていることを特徴とする請求項４に記載の吸入装置。
【請求項６】
前記投与キー（５）がその非動作位置にばね付勢により保持されていることを特徴とする請求項１〜５のいずれか１項に記載の吸入装置。
【請求項７】
前記搬送機構が前記計量手段に作用する投与レバー（６）を有し、該投与レバー（６）は、前記投与キー（５）が押し下げられた後に前記計量手段の吸入位置にロックされ、前記投与キー（５）が解放されているか否かにかかわらず前記投与レバー（６）は吸入によって解除可能であることを特徴とする請求項１〜６のいずれか１項に記載の吸入装置。
【請求項８】
前記粉末チャネルと連通する空気ダクト（９）内に吸入作動弁を備え、該吸入作動弁は、前記投与レバーが該吸入動作弁の作用によって解除可能であるように前記投与レバー（６）に動作可能に接続されていることを特徴とする請求項７に記載の吸入装置。
【請求項９】
前記投与レバー（６）が第１のロック位置、次に第２のロック位置をとることが可能であり、および前記投与レバー（６）が前記第２のロック位置にロックされた後にのみ吸入によって解除可能であることを特徴とする請求項８に記載の吸入装置。
【請求項１０】
前記投与レバー（６）は、前記偏向可能要素が前記投与キー（５）のさらなる押し下げで解放されるまで前記投与キー（５）が押し下げられたときに、前記第２のロック位置をとることを特徴とする請求項９に記載の吸入装置。
【請求項１１】
前記偏向可能要素が前記投与キー（５）と一体的に形成されていることを特徴とする請求項１〜１０のいずれか１項に記載の吸入装置。
【発明の詳細な説明】
【技術分野】
【０００１】
本発明は、吸入に起因する空気流によって患者に摂取される粉末薬剤用の吸入装置であって、少なくとも１つの粉末リザーバと、リザーバからの粉末用量を繰り返し計量するための計量手段と、粉末用量を収容するための充填位置から前記粉末用量を粉末チャネルに放出するための排出位置に前記計量手段を移動させるための搬送機構と、患者による手動操作のための少なくとも１つの作動装置とを備え、前記作動装置は、動作時に単回分の粉末用量が計量されるように前記搬送機構に動作可能に接続され、前記作動装置が患者によって押されたときに前記搬送機構に作用する投与キーを備えている吸入装置に関するものである。
【背景技術】
【０００２】
上述した種類の粉末吸入装置は例えば特許文献１に開示されている。
【０００３】
気管支疾患だけでなく、気道を介して薬剤の効果を与えることができる他の疾患の治療分野においても、粉末形態での薬剤を適用することが一般に知られている。もちろん、吸入可能なエアロゾルを提供するための懸濁溶液を微粒化する装置も当該技術分野で知られている。
【０００４】
本発明は、好ましくは、粉末医薬品用の吸入器またはカートリッジに設けられた投与カウント手段または投与インデックス手段を有する複数回用量乾燥粉末吸入器の形態で、粉末医薬品を投与するための吸入装置に関するものである。
【０００５】
前述したように、この種の吸入器は特許文献１に開示されている。この特許文献１は、多数回用量の粉末医薬品を単一のリザーバ空間から提供するための吸入装置に関し、該吸入装置は、患者によるマウスピースへの吸引力によって誘発される空気流により患者が前記粉末医薬品を摂取することができるものである。
【０００６】
上述した種類の粉末薬剤用の吸入装置は例えば特許文献２に開示されている。より詳細には、この特許は、多数回の医薬粉末用量のための薬剤貯蔵器を収容するための粉末吸入器用の医薬粉末カートリッジであって、所定量の医薬粉末を収容するための少なくとも１つの計量キャビティを備える一体化された計量装置を有し、該一体化された計量装置が少なくとも充填位置から排出位置へ医薬粉末の流れ方向に対してほぼ横方向に移動可能である該医薬粉末カートリッジに関し、また、空気流によって患者が薬剤を摂取することができかつこのような医薬粉末カートリッジ用の容器を有する粉末薬剤用吸入器に関するものである。
【０００７】
特許文献３には、吸入装置から分配されるべき複数用量の薬剤を受容することができる吸入装置が開示されている。該装置は、薬剤用量の分配を少なくとも一時的に防止するための防止手段と、既に分配された薬剤用量の吸入を検出するための検出手段とを備えるものである。
【０００８】
上述した種類の他の吸入装置が特許文献４に開示されている。
【０００９】
複数回用量吸入装置に関して、重要な設計態様は装置の計量精度である。
【００１０】
上述した種類の吸入装置の他の重要な設計態様は、装置の使用特性である。
【００１１】
吸入装置は、装置が吸入のための準備ができているかどうか、および装置が特定のそして十分な残量の粉末用量を有しているかどうかを使用者が明確に判断できるように設計されなければならない。さらに、装置は、使用者の誤操作に対して十分にフェイルセーフが働き安全でなければならない。例えば、二重投与は、計量技術の適切な設計によっていずれにしても防止されなければならない。
【００１２】
特に、特許文献１は、所定数の計量サイクルの後に吸入装置の作動装置および／または搬送機構をロックするロック機構に関するものである。
【００１３】
この公知の吸入装置は、患者による手動係合で患者に投与されるべき薬剤用量を繰り返し計量するための作動装置と、患者への投与のために薬剤用量が放出されるように作動装置が患者によって係合される毎に、カウント手段またはインデックス手段を前進させるための前進機構とを備え、カウント手段またはインデックス手段はインデックスを備え、インデックスが吸入装置の検出手段によって検出可能であり、検出手段がロック機構に結合され、ロック機構が、指標の検出により所定数の計量サイクルによって遅延された吸入装置の作動装置および／または任意の搬送機構を阻止するものである。作動装置は、吸入装置の阻止状態を示す動作位置とは異なる位置で捕捉される。この構成は、吸入装置を使用している患者の安全性の向上を得ることができるように、単純で安価な信頼性の高い機構によって、多数回用量をリザーバ空間から放出するかまたは概数回用量をリザーバ空間内に残した後に、吸入装置のさらなる使用を阻止することを可能にする。このようにして、患者が、必要な薬剤の不適切な不足を引き起こす空のリザーバ空間から投与しようとするのを防止することができる。その限りにおいて、公知の吸入装置はより高い使用性を提供する。
【００１４】
前述したように、吸入装置は、搬送機構に接続された投与キーの形態の、患者による手動での係合のための作動装置を備える。搬送機構は、充填位置から、薬剤粉末用量を粉末チャネルに放出するための排出位置へ搬送される計量手段に接続されている。投与のためのキーの押し込みと薬剤の吸入が患者によって調整される必要がないように、粉末チャネルから、患者は、患者によって発生された空気流を介してマウスピースを通して薬剤粉末を吸入することができる。いずれにしても、患者は、吸入を介して計量された粉末用量を摂取することができる。特許文献１に開示されているような吸入装置の計量および搬送機構は、患者が吸入する前に投与キーを離した場合にのみ、適切にリセットされる。
【００１５】
一般にエアロゾル吸入装置から知られているように、患者は、粉末用量を完全に放出するために投与キーを押し下げ続けなければならないと考えている場合があり得る。
【００１６】
また、患者が肉体的および／または精神的に投与キーを離すことができない場合もあり得る。
【先行技術文献】
【特許文献】
【００１７】
【特許文献１】欧州特許第１６１６５９２Ｂ９号明細書
【特許文献２】米国特許第５８４０２７９号明細書
【特許文献３】国際公開第２００６／１０６３６７号
【特許文献４】米国特許出願公開第２００６／００３７６１２  Ａ１号明細書
【特許文献５】国際公開第０３／０００３２５Ａ１号
【発明の概要】
【発明が解決しようとする課題】
【００１８】
したがって、本発明の目的は、使用性に関してさらに向上されかつ起こりうる誤操作に鑑みてさらに改良された上述の種類の吸入装置を提供することである。
【課題を解決するための手段】
【００１９】
この目的および他の目的は、請求項１に記載の吸入装置によって達成される。本発明の有利な実施形態は従属請求項から導き出され得る。
【００２０】
特に、本発明の上述の目的は、吸入に起因する空気流によって患者が摂取するべき粉末薬剤用の吸入装置であって、少なくとも１つの粉末リザーバと、リザーバからの粉末用量を繰り返し計量するための計量手段と、粉末用量を収容するための充填位置から前記粉末用量を粉末チャネルに放出するための排出位置へ前記計量手段を移動させるための搬送機構と、患者による手動操作のための少なくとも１つの作動装置とを備え、前記作動装置は、動作時に単回分の粉末用量が計量されるように前記搬送機構に動作可能に接続されるものであり、前記作動装置が、患者によって押されたときに前記搬送機構に作用する投与キーを有している吸入装置によって達成され、本発明による吸入装置は、前記投与キーが押し下げられた状態に保持されていても、一計量サイクルが完了し、搬送機構および／または計量手段がリセットされるように、押されている間の前記投与キーが前記搬送機構と一時的に係合されることを特徴とするものである。
【００２１】
本出願の意味において「リセット」という用語は、搬送機構および計量手段が、投与キーの位置とは無関係にそれらの初期位置／開始位置に戻り、計量手段／搬送機構の作動完了後の投与キーの位置にかかわらず、さらなる計量サイクルの準備ができるようになることを意味する。
【００２２】
使用者が、例えば、何とかして作動および吸入を調整する必要があると考えるために、誤って投与キーの完全押し下げを続けたとしても、このような操作は計量サイクル自体に影響を与えない。当然、粉末用量は投与キーの作動時に粉末チャネル内に完全に放出され、前記機構は粉末用量の吸入時に適切にリセットされる。
【００２３】
有利な一実施形態において、本発明による吸入装置は、前記投与キーが、搬送機構の投与レバーに一時的に係合する偏向可能要素を有し、偏向可能要素は可撓性であり、第１の非偏向位置で投与レバーから係合解除され、第２の偏向位置で投与レバーと係合されることを特徴とするものである。前記偏向可能要素は、屈曲可能なおよび／または可撓性のペグまたはピンまたはスパイクの形態ならびにアクチュエータブレードまたはリーフスプリングの形態であり得る。本出願の意味において「アクチュエータブレード」は、ブレード状の屈曲可能なおよび／または可撓性の要素、例えば、金属要素または熱可塑性プラスチック材料製の要素であり得るある種のリーフスプリングを意味する。アクチュエータブレードは、射出成形部品であり得る投与キーと一体的に形成することができる。あるいは、偏向可能要素は、投与キーに取り付けられた可撓性の／屈曲可能な金属製リーフスプリングの形態であってもよい。好ましくは、アクチュエータブレードは可撓性のアームまたは可撓性の脚部である。
【００２４】
言い換えれば、使用者によって投与キーが押し下げられると、投与キーの可撓性のアーム／脚部が搬送機構の投与レバーに係合するように屈曲される。投与キーのさらなる押し下げによって、偏向可能要素は、それが投与レバーと係合解除される初期位置に跳ね戻り、その結果、投与レバーは投与キーの位置とは無関係にリセット動作を果たすことができる。
【００２５】
好ましい実施形態では、本発明による吸入装置は、固定した偏向形材によって特徴付けられ、これは、すなわち投与キーに対して固定され、投与キーが非押し下げ位置から押し下げ位置へ移動している間に、偏向可能要素を第２の偏向位置に付勢し、その後、投与キーが完全押し下げ位置へさらに移動している間に、アクチュエータブレードを第１の非偏向位置に解放するものである。偏向形材は、例えば、吸入装置の固定部品によるはす縁または面取り形材によって設けられ得る。この偏向形材は、例えば吸入装置の弁室または他の固定部品であってもよい。
【００２６】
代わりに、偏向形材は吸入装置の固定部品のカム形材によって設けられ得る。操作者／使用者によって解放されると投与キーがその開始位置に自動的に戻るように、投与キーはばね付勢されてその非動作位置に保持され得る。
【００２７】
搬送機構が前記計量手段に作用する投与レバーを有し、投与キーが押し下げられた後に前記投与レバーが前記計量手段の吸入位置にロックされ、投与キーが解放されているか否かにかかわらず前記投与レバーが吸入によって解除可能である場合に特に有利である。
【００２８】
吸入装置は、空気ダクト内に吸入作動弁を備えることができ、投与レバーが、吸入中の患者により発生された吸引力によって動作開始された弁の作用により解除可能であるように、前記弁は前記投与レバーに動作可能に接続されている。
【００２９】
空気ダクトは、好ましくは粉末チャネルと連通している。この設計によって、搬送機構および／または計量手段は、粉末チャネル内に放出されている粉末用量の吸入後にのみ、完全にリセットされる。したがって、この設計により、二重投与が効果的に防止される。
【００３０】
特に好ましい実施形態では、投与レバーは第１のロック位置と第２のロック位置をとり得る。使用者による投与キーの早すぎる解放というような誤操作を防止するために、前記投与レバーは第２のロック位置にロックされた後にのみ吸入によって解除可能である。投与キーが全押しされていない場合、投与レバーはその開始位置に戻らず、したがって、追加の用量はリザーバから分配されない。
【００３１】
前記投与キーがある程度押し下げられたときにのみ、すなわち、前記アクチュエータブレードが解除され、前記投与キーのさらなる押し下げによって跳ね戻るまで、前記投与レバーは前記第２のロック位置をとり得る。
【００３２】
前記偏向可能要素は、前記投与キーと一体的に形成され得る。
【００３３】
投与キーは、熱可塑性プラスチック材料の射出成形によって形成することができ、偏向可能要素の偏向特性は、本質的に、その形状およびそれが熱可塑性プラスチック材料から製造されているという事実に起因している。
【００３４】
以下に、本発明を、一例としての添付図面を参照して開示する。
【図面の簡単な説明】
【００３５】
【図１】開かれたマウスピースキャップを有する本発明による吸入装置の実施形態を示す斜視図である。
【図２】本発明による吸入装置の分解図である。
【図３】本発明の第１の実施形態による吸入装置の部分縦断面図である。
【図４】本発明の第１の実施形態による吸入装置の他の縦断面図である。
【図５】本発明による投与キーを示す斜視図である。
【図６】投与キーが非作動状態にある吸入装置を示す断面図である。
【図７ａ−７ｂ】図６に対応して投与キーが部分的に押されている状態を示す断面図である。
【図８ａ】図６および図７に対応して投与キーが完全に押し下げられている状態を示す断面図である。
【図８ｂ】フラップ弁への投与レバーの係合を示す斜視図である。
【図９】本発明による吸入装置の投与レバーを示す斜視図である。
【図１０】本発明による吸入装置の空気ダクトを閉じる吸入作動弁の第１の好ましい実施形態を示す斜視図である。
【図１１ａ】図１０における吸入作動弁の他の斜視図である。
【図１１ｂ】第２の好ましい実施形態による吸入作動弁を示す背面斜視図である。
【図１２】本発明による吸入装置をハウジング無しで示す側面斜視図である。
【図１３】図１２の背面図としての拡大詳細図である。
【図１４ａ】本発明の第１の好ましい実施形態による吸入装置の投与レバーと吸入動作可能なフラップ弁との間の係合を示す拡大詳細図である。
【図１４ｂ】第１の好ましい実施形態による投与レバーとフラップ弁との間の係合を示す拡大詳細図である。
【図１４ｃ】第２の好ましい実施形態による投与レバーとフラップ弁との間の係合を示す拡大詳細図である。
【図１５】吸入装置の他の縦断面図である。
【図１６】本発明による吸入装置の粉末カートリッジを示す斜視図である。
【図１７】吸入装置のハウジングを示す斜視図である。
【図１８】カウンターリングの歯部上を滑動するカウンタースライドを示す詳細図である。
【図１９】カートリッジのロックラチェット（ロックレバーは不図示）を示す詳細図である。
【図２０】ロックレバー、ならびに該ロックレバーと投与キーおよびカウンターリングとの係合を示す詳細図である。
【発明を実施するための形態】
【００３６】
図１〜図２０に示した吸入装置１は、多数回用量の粉末医薬品を粉末カートリッジの形態の容器から提供するための粉末薬剤用の吸入装置である。粉末カートリッジ３は、多数回用量の医薬粉末／粉末薬剤を収容するためのリザーバ２を画定する。説明した実施形態では、１つの粉末カートリッジ３から得ることのできる典型的な回数の用量は３０〜６０回分用量の範囲であり得る。
【００３７】
リザーバ２は、図２からわかるように、蓋４によって密封状態で覆われている。この蓋は、取り外し不能な吸入装置の組み立て状態においてカートリッジ本体３ａに固定されている。
【００３８】
粉末薬剤は、使用者によって引き起こされる空気流、すなわち吸引力によって患者が摂取することができる。したがって、吸入装置は、さらに、投与レバー６およびロックレバー７を有する搬送機構に接続されている投与キー５の形態で、患者による手動で係合するための作動装置を備えている。投与レバー６は、粉末用量を収容するための充填位置から、前記粉末用量を粉末解凝集させるためのサイクロン１６の粉末溝１６ａに放出する排出位置へ移動可能な計量手段としての投与スライド８に作用する。患者は、粉末溝１６ａから、その患者によって発生された空気流を介してマウスピース１０を通して粉末薬剤を吸入することができる。使用されていない場合、マウスピース１０は、マウスピースカバー１１によって汚れから保護されている。マウスピースカバー１１は吸入装置に確実に固定されており、すなわち取り外し不能である。
【００３９】
サイクロン１６の粉末溝１６ａは、従来技術から知られているような分散・微粒化手段として機能するサイクロン１６を通る粉末チャネルの一部を形成している。患者が摂取すべき粉末薬剤は付着性混合物の形態であり得る。付着性混合物は、それらの表面で微粉化された薬剤粒子を担持する比較的大きな結晶、一般にα−乳糖・一水和物からなる。分散システムにおいて、乾燥粉末は、薬剤粒子を粉末配合物から放出するために解凝集される。サイクロン１６、すなわち分散手段は、一般に、空気循環チャンバ、ならびに円形の空気流パターンが循環チャンバの内部に生成されるように接線方向で循環チャンバに入る複数の空気供給チャネルを備えている。したがって、吸入装置を通る全呼吸流れは、粉末用量を粉末溝を通過させて粉末を循環チャンバ内に引き込むための搬送空気流、接線方向で循環チャンバに入るサイクロン空気流、ならびに最終的に清浄空気のいわゆるシース流を生成するためのバイパス空気流を含む。分散手段用の可能な設計は、例えば、（特許文献５）に開示されている（この開示は本明細書に完全に援用される）。分散手段は以下において幾分簡略化した形態でサイクロンと呼ぶ。粉末溝１６ａからマウスピース開口部への空気通路もまた、以下において幾分簡略化した形態で粉末チャネルと呼ぶ。しかしながら、「粉末チャネル」という用語は、必ずしも１つの明確に区別される単一粉末チャネルを指すものではなく、むしろ上述したようなチャネルシステムを指すことを理解されたい。
【００４０】
図２からわかるように、吸入装置１は、シェル１２および１３、ならびにスナップ嵌め接続を介して解除不能な形でシェル１２および１３上に設置されたカバー１４を含む３部品ハウジングを備えている。
【００４１】
吸入装置１の中心部は、サイクロン１６を含む弁室１５とカートリッジ本体３ａとによって形成されている。
【００４２】
患者による吸入装置１の手動操作は投与キー５を介して機能し、この投与キー５が、投与キーばね１７の付勢力に抗して患者によって押し下げられ、投与スライド８（図１５を参照）に接続されている投与レバー６に作用する。
【００４３】
例えば、図１５からわかるように、投与スライド８は、カートリッジ本体３ａ内のリザーバ２の下方に延在する投与スライド通路１８内で摺動可能に移動可能である。
【００４４】
投与スライド８（計量手段）は、粉末薬剤の計量された用量を収容するための投与キャビティ１９が設けられている。
【００４５】
以下により詳細に説明するように、カートリッジ本体３ａは、粉末薬剤を収容するためのリザーバ２を画定するだけでなく、リザーバ２の下方に延在する投与スライド通路１８、ならびにカウントおよびインデックス手段を収容するためのハウジングも画定することに留意されたい。
【００４６】
投与スライド８は、図１５において、投与キャビティ１９がサイクロン１６の粉末溝１６ａと連通する弁室１５の開口部２０と位置合わせされる排出位置で示されている。投与スライド８は、投与レバー６を介して、投与キャビティ１９がカートリッジ本体３ａ内のリザーバ２の開口部２１と位置合わせされる充填位置と、吸入／排出位置との間で移動可能である。充填位置において、投与キャビティ１９は計量された量の粉末を収容する。投与キー５の作動時に、投与スライド８は図１５に示された位置へと前進され、それによって、開口部２０を通して粉末用量を粉末溝１６ａ内に放出する。
【００４７】
図１５に示されているこの位置において、吸入装置は吸入のための準備ができている。患者がマウスピース１０を介して吸引を行う場合、この吸引力が、空気流が空気ダクト９の開口端から弁室１５およびサイクロンの粉末溝１６ａによって画定された粉末チャネル内、マウスピース内へと自由に循環することができるように、空気ダクト９の一端にあるフラップ弁２２を強制的に揺動させて開く。フラップ弁２２は、開示した実施形態において一体的に形成されたフラップ２２ａとシャフト２２ｂを含む。
【００４８】
第１の実施形態によるフラップ弁２２は、図１０および図１１ａにより詳細に示されている。フラップ弁２２のシャフト２２ｂは、その端部で回動するように弁室１５内に装着されている。
【００４９】
図１５からもわかるように、吸入位置においてフラップ弁２２は投与レバー６の締結フック２３によって係合される。
【００５０】
フラップ弁２２の背面図が例えば図１０に示されている。フラップ２２は、３つの脚部２２ｃ、２２ｄおよび２２ｅを含む角度の付いた／屈曲した形状を有し、装着位置において、第１の脚部２２ｃはフラップ弁２２の閉方向に向かって傾斜し、第２の脚部２２ｄは後方に傾斜し、第３の脚部２２ｅは前方方向におよびフラップ弁２２の回転運動に対してほぼ接線方向に延在する。
【００５１】
フラップ２２ａの第１の脚部２２ｃの背面側に、吸入位置で投与レバー６の締結フック２３によって係合され得るラッチリブ４７が設けられている。投与レバー６の締結フック２３には、その前端に傾斜面５１を有する鉤状突出部５０が設けられている。フラップ弁２２は、前記シャフト２２ｂと一体的に形成されたフラップ弁レバー３１を有している。フラップ弁レバー３１の遠位端には偏向面５３が設けられている。投与キー５を作動させ、それに続く作動で投与レバー６を下方に移動させた際に、投与レバー６のフック２３と一体的に形成されたラッチ２９の対応する偏向面５３’が、フラップ弁レバー３１の偏向面５３と当接する。これによって、フラップ弁レバー３１ならびに投与レバーのフックは、両方が僅かに偏向され、すなわちわきへ屈曲され、投与レバー６のフック２３をさらに下方に移動させるとそれらの初期位置に跳ね返る。フック２３をさらに下方に移動させると、鉤状突出部５０の傾斜面５１がラッチリブ４７の一方の縁部に当接する。これによって、フック２３は、その材料弾性によりわきに屈曲し、ラッチリブ４７の後方にその端部位置に跳ね返り、これにより、フラップ弁２２に係合し、そして吸入によって誘発されるフラップ弁２２の揺動運動により解除可能である。
【００５２】
特に、フラップ２２ａの拡大縦断面図を示した図１４ｂからわかるように、フック２３の鉤状突出部５０はラッチリブ４７に係合する。ラッチリブ４７は、吸入装置１の吸入準備ができているときに鉤状突出部５０に面する湾曲した支持面５４を有している。ラッチリブ４７とフック２３との間の接触力が構成要素の公差とはほとんど無関係であるように、カム表面を規定する支持面５４がフック２３の鉤状突出部５０とラッチリブ４７との間の線接触をほとんど提供している。より具体的には、吸入装置の部品の公差による接触表面の偏位は実際には軸方向にのみ可能であるが、このことが必要な誘発力に影響を与えないように、フックの鉤状突出部５０の平面は、接線方向にのみ湾曲した支持面５４に係合する。この設計により、フラップ弁２２の誘発がかなり再現性があるように、求められる誘発力はほんの僅かな変動のみを必要とする。フラップ２２ａが時計回り方向に移動すると、フック２３はほぼ瞬時に解放されることが図１５から容易に明らかである。結果として、投与レバーは、投与レバーばね２５の力によって駆動されて上方に揺動し得る。この上方への移動により、投与スライド８がその粉末収容位置に戻されることになる。
【００５３】
フラップ弁２２の別の実施形態が図１１ｂおよび図１４ｃに示されている。フラップ弁２２の同じ部分は同じ符号で示している。
【００５４】
この実施形態によるフラップ弁２２は、それ自体に屈曲がないまたは角度が付いていない比較的シンプルで平坦なフラップ２２ａを備えている。
【００５５】
図１４ｃからわかるように、吸入装置１が吸入の準備ができているとき、締結フック２３はフラップ弁２２のシャフト２２ｂに係合する。
【００５６】
フラップ弁２２のシャフト２２ｂ（例えば図１１ｂ参照）は、シャフト２２ｂのほぼ中央に配置されている切欠き領域２４を有しており、その結果、フラップ２２ａが（図１４ｃおよび図１１ｂにおける時計回り方向に）揺動して開くと、投与レバーばね２５の力によって駆動された投与レバー６がその初期位置に戻ることができるように、シャフト２２ｂのほぼ中央でシャフト２２ｂに接線方向で係合している投与レバー６の締結フック２３が解放され、これによって、投与スライド８が、リザーバ／粉末カートリッジから粉末用量を収容するための充填位置内に移動して戻る。投与キー５の作動時に、投与レバー６のラッチ２９とフラップ弁レバー３１とが接触することによって、投与レバー６はフラップ２２ａを部分的に回動させながら下方に移動される。部分的に回動された後に、フラップ弁２２は、一体的に形成されて成形されたばね３２の力によって、その開始位置に逆回転して戻る。ラッチ２９とフラップ弁レバー３１との接触によって引き起こされるフラップ２２ａの揺動運動は、締結フック２３が早期に解除されて上方に移動したときにラッチ２９がフラップ弁レバー３１の機械的ストッパ３０の後方に係合することを可能にする。
【００５７】
シャフト２２ｂの切欠き部分２４の領域において、シャフト２２ｂは半円形の断面を有し、シャフト２２ｂと締結フック２３との間の接触力が構成要素の公差とはほとんど無関係であるように、締結フック２３の先端部が、接線方向にのみおよび非常に限られた表面領域（線接触）でのみシャフトの断面の残部に係合する。この設計により、特に、締結フック２３の平坦な接触面がシャフト２２ｂの断面の残部の湾曲した表面領域に接触するという事実により、フラップ弁２２の誘発がかなり再現性があるように、要求される誘発力はほんの僅かな変動のみを必要とする。投与レバー６が投与レバーばね２５の力によって駆動されて上方に揺動し得るように、シャフト２２ｂおよびフラップ２２ａの僅かな回転／揺動運動のみで締結フック２３を自由にし、これによって吸入サイクルを終了する。
【００５８】
投与キー５の斜視図を図５に示した。投与キー５は、投与キー５と一体的に形成された舌部材２６に当接する投与キーばね１７によって、その初期位置／開始位置に保持される。
【００５９】
前記投与キー５は、同様に投与キー５と一体的に形成された可撓性アーム／脚部として形成され、かつ図５に示した装着位置で下方に延在するアクチュエータブレード２７を有している。図６〜図８ａに示した動作順からわかるように、弁室１５には、投与キー５の押下時にアクチュエータブレード２７のためのある種のカム表面を形成するはす縁２８が設けられている。
【００６０】
図６は、投与キー５が作動されていない開始位置にある吸入装置１の状態を示す断面図である。この状態のアクチュエータブレード２７は搬送機構と、すなわち投与レバー６と係合していない。
【００６１】
投与キー５が押下げられると、アクチュエータブレード２７がその固有の可撓性により、図６に示した第１の位置からアクチュエータブレード２７が同時に投与レバー６に係合する図７ａの第２の位置に偏向／屈曲するように、アクチュエータブレード２７は下方に移動して弁室のはす縁２８に係合する。投与キー５およびアクチュエータブレード２７のさらなる移動によって、アクチュエータブレード２７は投与レバーばね２５の付勢力に抗して投与レバー６を下方に押し込む。図８ａに示したように、投与キー５が完全に押し下げられると、アクチュエータブレード２７はその非偏向および係合解除位置に跳ね返る。この位置において、投与レバー６の締結フック２３は、図８ａにも示したようにフラップ弁２２のラッチリブ４７に係合する。この吸入装置／吸入器は、今や吸入準備ができている。
【００６２】
最初に、本発明によるフラップ弁２２の第１の実施形態を参照して、本発明による吸入装置の二重投与防止機構について以下に説明する。
【００６３】
前述したように、投与レバー６の後端の領域（図９の左側）にはラッチ２９が設けられている。投与キー５を作動させた結果として投与レバーが下方に移動すると、最初に、ラッチ２９の全ての相補的な偏向面５３’はフラップ弁レバー３１の偏向面５３との当接状態を得る。結果として、投与レバー６がさらに下方に移動すると、フラップ弁レバー３１はラッチ２９を通過しながらわきに屈曲／偏向し、その初期位置へ跳ね返り、この結果、最終的にはフックとラッチリブ４７とが係合することになる。
【００６４】
再び、投与レバー６の斜視図を示した図９を参照されたい。投与レバー６の後端の領域（図９の左側）には、投与レバー６の戻り運動において前記シャフト２２ｂと一体的に形成されたフラップ弁レバー３１の機械的ストッパ３０に係合するためのラッチ２９が設けられている。
【００６５】
投与キー５が、押されてから、早すぎる、すなわち、締結フック２３がフラップ弁２２のラッチリブ４７に係合する前に解放された場合、投与レバー６が上方に移動すると、投与レバー６のラッチ２９はフラップ弁レバー３１の前記機械的ストッパ３０に当接する。したがって、投与レバー６は中間位置でフラップ弁２２にロックされる。この中間位置のロックは二重投与防止機構を提供する。この中間位置のロック、すなわち第１のロック位置において、レバーの関係は、投与レバー６を解除するのに必要な力が吸入するだけでは起動できないようなものである。投与レバー６が端部位置でフラップ弁２２にロックされていない場合、例えば、投与キー５が全押しされていない場合に、投与レバー６はその初期開始位置に戻らず、すなわち中間位置にロックされる。したがって、追加の粉末用量はリザーバ２から放出されない。投与レバー６および投与スライド８は、吸入によって誘発されるフラップ弁２２の作動後にのみ、それらの開始位置へ戻り、これによって投与レバー６の締結フック２３を解除する。
【００６６】
二重投与防止機構は、図１４ｃによる第２の実施形態のフラップ弁２２の構成も備えられる。投与キー５の作動時に、投与レバーのラッチ２９とフラップ弁レバー３１とが接触することによって、投与レバー６はフラップ２２ａを部分的に回動させながら下方に移動される。投与レバーを下方に移動させてフラップを部分的に回動させた後、フラップ弁２２は、フラップ弁２２と一体成形されたばね３２の弾性によって、その閉位置へと戻る。投与レバー６が早期に上方に移動すると、投与レバー６のラッチ２９はフラップ弁レバー３１の機械的ストッパ３０に当接する。これにより、投与レバー６は中間位置でフラップ弁２２にロックされる。
【００６７】
投与レバー６はカム状の作動要素３３を有しており、この作動要素３３は、各作動時に、カートリッジのカウンターリング３５が１カウントずつ低用量側に向かって移動されるように、カートリッジのカウンタースライド３４を移動させる。それに応じて、カートリッジの充填状態を示すカートリッジ本体３ａの表示窓３６でカートリッジの内容物量の程度を見ることができる。カウンターリング３５に作用するカウンタースライド３４の詳細については、図１８から理解することができる。歯部３７を有するラチェットリングとして構成されているカウンターリング３５はカートリッジ本体３ａのカラー内に回転可能に挿入されている。投与レバー６の作動時に、作動要素３３がカウンタースライド３４を移動させ、該カウンタースライドがカウンターリングの歯部３７に係合し、これによって、次の指数が表示窓３６に示されるようにカウンターリング３５が移動される。カウンターリング３５は、例えば、５回分毎の投与ステップ／計量サイクルの用量カウントの視覚的表示を提供する。カウンターリングは例えば１３個の数字を表示し、各計量サイクル時に６０から０へのカウントダウンを示す。カウンターリング３５の各歯部は１つの計量サイクルを表す。
【００６８】
図４からもわかるように、カウンタースライド３４は、カウンタースライド３４と一体的に形成された爪４３を持っている。爪４３はカウンターリング３５の歯部３７にしっかりと係合するようにカウンターリング３５に向かって付勢されている。歯部３７は１つの傾斜側面および１つの垂直方向に延びる側面を有している限りにおいては非対称であり、傾斜側面は、カウンターリング３５の回転方向に関して誘導側面に相当する。
【００６９】
カウンタースライド３４は、カートリッジ本体３ａの摺動チャネル４４内で前後に移動可能である。投与レバー６のカム状の作動要素３３は、摺動チャネル４４内に、およびカウンタースライド３４の水平方向に延在する部品の凹部４５内に延びている。作動要素３３のカウンタースライド３４との係合により、作動要素３３の揺動運動がカウンタースライド３４の直線運動に変換される。
【００７０】
投与キー５が押し下げられると、作動要素３３が図４の左側に向かって回動されるように投与レバーが回動される。同時に、投与レバーの下部先端４６（図９および図１２参照）が投与スライド８を排出／吸入位置に押す。これによって、カウンタースライド３４が反対方向に移動される。カウンタースライド３４がこの移動を実行している間に、爪４３はカウンターリングのそれぞれの歯部３７の垂直な側面に係合し、カウンターリングを１つのカウント／ステップ分だけ移動させる。投与レバー６の解除後に、カウンタースライド３４はその開始位置へ逆方向に移動して戻される。爪４３の弾性により、爪はそれぞれの歯部の傾斜側面にわたって滑動することができ、これによって歯部の背後に弾かれて戻る。図１９からわかるように、カウンター機構は、カウンターリングの歯部３７に係合するロックラチェット３８を備えている。歯部３７の幾何学的形状によって、これもまた弾性部材であるロックラチェット３８がカウンターリング３５の反時計回りの回転を阻止する。
【００７１】
図１２からわかるように、吸入装置１は、投与キー５と投与レバー６との間の弁室１５に回動可能に装着されたロックレバー７を備えている。ロックレバー７はブロックアーム３９およびばね脚部４０を有している。粉末カートリッジ３の組立時に、ロックレバー７が下方に押し込まれ、これによって、ブロックアーム３９およびばね脚部４０が後方に移動される。この位置において、投与キー５は、図１２に示したようにばね脚部４０の付勢力に抗して自由に下方に移動することができる。
【００７２】
投与キー５はまた、図１５に示したように投与キーばね１７の付勢力に抗して自由に移動可能である。
【００７３】
カウンターリング３５は、ロックレバー７の舌部４２に係合可能であるノッチ４１を備えている。
【００７４】
所定回数の用量が送出された後に、投与キー５によって作動されたばね脚部４０の作用により引き起こされた回動運動によってロックレバー７がカウンターリングのノッチに係合するように、ノッチがカウンターリング３５に配置されている。ロックレバー７が上方に移動すると、ロックレバー７のブロックアーム３９は前方に（マウスピース１０に向かって）押し出され、投与キー５が最後の吸入後の最も低い位置で阻止されたままであるように、最も低い位置にある投与キー５に係合する。これで空の装置の次の作動を実行することができない。
【００７５】
図５および図２０からわかるように、投与キー５は、ばね脚部４０の疲労を回避するために、押し下げ状態にある間にのみばね脚部４０に作用する作動リブ５５を有している。したがって、ばね脚部４０は、投与キー５が下方に押されているかまたは下方に保持されている場合にのみ、付勢される。
【００７６】
カウンターリングの形態のインデックス手段の他に、装置は、装置の吸入準備ができているかどうかを示す他の吸入制御窓４８を備えている。該吸入制御窓は、例えば、装置の吸入準備ができている場合には緑色のフラグを表示する。これは、吸入装置１の作動状態において、投与レバー６の緑色のタブ４９が吸入制御窓４８の赤色のフラグを覆うためである。吸入位置から開始位置への装置のリセットは、吸入時の空気流によって吸入中に行われる。詳細に前述したように、フラップ弁２２が偏向され、このようにして投与レバー６を解除する。
【００７７】
空気ダクト９の気密性を確保するために、弁室１５の周りに延在する１つ以上のシールリブによって、シェル１２および１３が弁室１５に対して封止され得る。シールリブは、弁室１５と共射出成形された熱可塑性エラストマーの形態であってもよい。代わりに、シールリブ５２は、吸入装置の組み立て中にシール溝内に装着される弾性リングとして設計されてもよい。
【００７８】
本発明による吸入装置の特に好ましい実施形態では、シェル１２および１３は、弁室１５の周りに完全に延在するラビリンスシールによって弁室に対して封止され、その結果、サイクロン１６および粉末溝１６ａを含む弁室１５が吸入装置の投与区画に対して効果的に密封される。ラビリンスシールは、弁室１５の周りに完全に延在されかつ吸入装置１の組み立て状態においてシェル１２および１３の対応するシール溝に係合するシールリブ５２によって提供される。このシールは、できるだけ再現可能であるようにフラップ弁２２のための誘発力を維持するのを補助する。必要な誘発力のための帯域幅は、通常、患者によって行われるべき吸引のために３０Ｌ／ｍｉｎの空気流量の変動に対応する。シェル１２、１３に対する吸入装置１の弁室のシールは、フラップ弁２２を誘発するために必要な空気流量のこの変動を著しく低減する。したがって、この設計は、粉末チャネルおよび／または空気ダクト９を迂回して吸入装置を通る空気流を吸引する可能性を回避する。
【符号の説明】
【００７９】
１  吸入装置
２  リザーバ
３  カートリッジ
３ａ  カートリッジ本体
４  蓋
５  投与キー
６  投与レバー
７  ロックレバー
８  投与スライド
９  空気ダクト
１０  マウスピース
１１  マウスピースキャップ
１２、１３  シェル
１４  カバー
１５  弁室
１６  サイクロン
１６ａ  粉末溝
１７  投与キーばね
１８  投与スライド通路
１９  投与キャビティ
２０  開口部
２１  開口部
２２  フラップ弁
２２ａ  フラップ
２２ｂ  フラップ弁のシャフト
２２ｃ  フラップ弁の第１の脚部
２２ｄ  フラップ弁の第２の脚部
２２ｅ  フラップ弁の第３の脚部
２３  締結フック
２４  切欠き部分
２５  投与レバーばね
２６  舌部材
２７  アクチュエータブレード
２８  はす縁
２９  ラッチ
３０  機械的ストッパ
３１  フラップ弁レバー
３２  フラップ弁のばね
３３  作動要素
３４  カウンタースライド
３５  カウンターリング
３６  表示窓
３７  歯部
３８  ロックラチェット
３９  ブロックアーム
４０  ばね脚部
４１  ノッチ
４２  舌部
４３  爪
４４  摺動チャネル
４５  凹部
４６  投与レバーの先端
４７  ラッチリブ
４８  吸入制御窓
４９  タブ
５０  鉤状突出部
５１  傾斜面
５２  シールリブ
５３  偏向面
５３’  偏向面
５４  支持面
５５  作動リブ
【図１】
2015503978.tif 000003
【図２】
2015503978.tif 000004
【図３】
2015503978.tif 000005
【図４】
2015503978.tif 000006
【図５】
2015503978.tif 000007
【図６】
2015503978.tif 000008
【図７ａ】
2015503978.tif 000009
【図７ｂ】
2015503978.tif 000010
【図８ａ】
2015503978.tif 000011
【図８ｂ】
2015503978.tif 000012
【図９】
2015503978.tif 000013
【図１０】
2015503978.tif 000014
【図１１ａ】
2015503978.tif 000015
【図１１ｂ】
2015503978.tif 000016
【図１２】
2015503978.tif 000017
【図１３】
2015503978.tif 000018
【図１４ａ】
2015503978.tif 000019
【図１４ｂ】
2015503978.tif 000020
【図１４ｃ】
2015503978.tif 000021
【図１５】
2015503978.tif 000022
【図１６】
2015503978.tif 000023
【図１７】
2015503978.tif 000024
【図１８】
2015503978.tif 000025
【図１９】
2015503978.tif 000026
【図２０】
2015503978.tif 000027
【国際調査報告】
2015503978.tif 000028
2015503978.tif 000029
2015503978.tif 000030
2015503978.tif 000031